(57)【要約】【課題】音源毎に音量を調整する必要を省いて、利便性を高める。【解決手段】音量の調整対象とされる音源を特定する音源判定部と、音源判定部での特定結果に基づいて適用する音量の変更量を算出する音量変更部と、音量変更部での変更量に対応して特定された音源の音量を変更して出力する音量適用部と、を備える。【選択図】図１
2014220738.tif 000002
【特許請求の範囲】
【請求項１】
音量の調整対象とされる音源を特定する音源判定部と、
前記音源判定部での特定結果に基づいて適用する音量の変更量を算出する音量変更部と、
前記音量変更部での前記変更量に対応して前記特定された音源の音量を変更して出力する音量適用部と、
を備えることを特徴とする音量調整装置。
【請求項２】
音量を変更したい音源の情報を予め保持しておくメモリ部を備え、
前記音源判定部は、前記メモリ部を参照して前記特定された音源が音量を変更したい音源であるか否かを判定し、
前記音量変更部は、前記変更したい音源である場合には、ユーザの音量調整を変更して前記変更量とすることを特徴とする請求項１に記載の音量調整装置。
【請求項３】
前記メモリ部は、音量を調整したい音源の特定情報と該音源に対する音量の調整量とを保持し、
前記音量変更部は、前記ユーザの音量調整を前記調整量によってさらに変更することを特徴とする請求項２に記載の音量調整装置。
【請求項４】
前記音量適用部は、音源の出力が所定の値以上にならないように抑圧する機能を有することを特徴とする請求項１に記載の音量調整装置。
【請求項５】
前記メモリ部は、前記保持する音源の情報を外部から書き換え可能に構成されることを特徴とする請求項２または３に記載の音量調整装置。
【請求項６】
請求項１乃至５のいずれか一に記載の音量調整装置を備える電子機器。
【請求項７】
音量調整装置における方法であって、
音量の調整対象とされる音源を特定するステップと、
前記特定した音源に対応する音量の変更量を算出するステップと、
前記算出した変更量に対応して前記特定された音源の出力を変更して出力するステップと、
を含むことを特徴とする音量調整方法。
【請求項８】
音量調整装置を構成するコンピュータに、
音量の調整対象とされる音源を特定する処理と、
前記特定した音源に対応する音量の変更量を算出する処理と、
前記算出した変更量に対応して前記特定された音源の出力を変更して出力する処理と、
を実行させるプログラム。
【請求項９】
前記音源を特定する処理は、前記音源を再生するアプリケーションプログラムを実行することでなされる請求項８に記載のプログラム。
【請求項１０】
前記音量の変更量を算出する処理は、前記音源を再生するアプリケーションプログラム毎に対応して前記変更量を算出する請求項８に記載のプログラム。
【発明の詳細な説明】
【技術分野】
【０００１】
本発明は、音量調整装置、音量調整方法およびプログラムに係り、特に、音源に対する音量調整技術に係る。
【背景技術】
【０００２】
複数の音源からの出力を処理する各種装置が知られている。
【０００３】
例えば、特許文献１には、複数の音源の中から特定の音源を選択し、他の音源からの音情報を同時に聴きながら選択した音源からの音情報を主に聴くことができる音源選択技術が記載されている。
【０００４】
また、特許文献２には、複数の音声出力先の各々から出力される音声の音量を音源に応じて設定可能な移動通信端末装置が記載されている。
【０００５】
さらに、特許文献３には、必要音源の音量と不要音源の音量をバランス良く調整する音響信号処理装置が記載されている。
【先行技術文献】
【特許文献】
【０００６】
【特許文献１】特開２００１−２７５１９７号公報
【特許文献２】特開２００６−３４００６２号公報
【特許文献３】特開２０１０−１８７３６３号公報
【発明の概要】
【発明が解決しようとする課題】
【０００７】
以下の分析は本発明において与えられる。
【０００８】
ところで、スマートフォンなどにあっては、複数のアプリケーションプログラム（単にアプリケーションと略す）によって様々な音を出力することができる。この場合、例えば、ワンセグ、マルチメディア放送の音は、伝送される信号の振幅（音量に対応する）が所定の規格に従っている。このため、例えばＣＤ（Compact Disc）をリッピングして音楽アプリケーションで聴取する場合より同一のユーザ音量でも体感上の音量が小さく聞こえることになる。このため、ユーザは音源毎に音量を調整する必要に迫られ、利便性が低下してしまう。
【０００９】
したがって、本発明の目的は、ユーザが音源毎に音量を調整する必要を省いて、ユーザの利便性を高める音量調整装置、音量調整方法およびプログラムを提供することにある。
【課題を解決するための手段】
【００１０】
本発明の１つのアスペクト（側面）に係る音量調整装置は、音量の調整対象とされる音源を特定する音源判定部と、音源判定部での特定結果に基づいて適用する音量の変更量を算出する音量変更部と、音量変更部での変更量に対応して特定された音源の音量を変更して出力する音量適用部と、を備える。
【００１１】
本発明の他のアスペクト（側面）に係る音量調整方法は、音量調整装置における方法であって、音量の調整対象とされる音源を特定するステップと、特定した音源に対応する音量の変更量を算出するステップと、算出した変更量に対応して特定された音源の出力を変更して出力するステップと、を含む。
【００１２】
本発明の別のアスペクト（側面）に係るプログラムは、音量調整装置を構成するコンピュータに、音量の調整対象とされる音源を特定する処理と、特定した音源に対応する音量の変更量を算出する処理と、算出した変更量に対応して特定された音源の出力を変更して出力する処理と、を実行させる。
【発明の効果】
【００１３】
本発明によれば、多種の音源からの音量を音源別に調整し、ユーザの利便性を高めることができる。
【図面の簡単な説明】
【００１４】
【図１】本発明の第１の実施例に係る音量調整装置の構成を示すブロック図である。
【図２】本発明の第１の実施例に係る音量調整装置の動作を示すフローチャートである。
【図３】本発明の第４の実施例に係る音量調整装置の構成を示すブロック図である。
【発明を実施するための形態】
【００１５】
以下、本発明を実施するための形態について、概説する。なお、以下の概説に付記した図面参照符号は、専ら理解を助けるための例示であり、図示の態様に限定することを意図するものではない。
【００１６】
本発明の一実施形態に係る音量調整装置は、音量の調整対象とされる音源を特定する音源判定部（図１の１２ａ、１２ｂ）と、音源判定部での特定結果に基づいて適用する音量の変更量を算出する音量変更部（図１の１３ａ、１３ｂ）と、音量変更部での変更量に対応して特定された音源の音量を変更して出力する音量適用部（図１の１４ａ、１４ｂ）と、を備える。
【００１７】
このような音量調整装置によれば、音源毎に定めた音量に調整することができる。このため、音源間の音量差が小さくなり、ユーザが音源を変更するたびに音量を調整する必要がなくなる。したがって、ユーザの利便性が向上する。
【００１８】
以下、実施例に即し、図面を参照して詳しく説明する。
【実施例１】
【００１９】
図１は、本発明の第１の実施例に係る音量調整装置の構成を示すブロック図である。図１において、音量調整装置１０は、メモリ部１１、音源判定部１２ａ、１２ｂ、音量変更部１３ａ、１３ｂ、音量適用部１４ａ、１４ｂ、混合部１５を備える。
【００２０】
なお、音量調整装置１０は、ＣＰＵ（Central Processing Unit）を備え、このＣＰＵにプログラムを実行させることで、メモリ部１１の制御、音源判定部１２ａ、１２ｂ、音量変更部１３ａ、１３ｂ、音量適用部１４ａ、１４ｂ、混合部１５を実現するようにしてもよい。また、このＣＰＵは、所望のアプリケーションを実行し、このアプリケーションによって所望の音源を再生するようにしてもよい。
【００２１】
ここで、同時に再生可能な音源の数に制限はないが、説明の簡略化のために、再生音源が２つ（音源Ａ、音源Ｂ）の場合を例に説明する。また、音源Ａが音量を増大させたい音源であるとする。すなわち、音源Ａは従前より音量が大きくなり、音源Ｂは従前と同じ音量で再生される場合について説明する。なお、音源Ａおよび音源Ｂの両方の音量を増大させることも可能である。
【００２２】
メモリ部１１は、あらかじめ、音量を増大させたい音源の情報を保持している。ここで、音源の情報とは、デジタル放送（ワンセグを含む）、マルチメディア放送（ＭＭ放送）、ＤＶＤ（Digital Versatile Disk）等の音源の種別を指す。
【００２３】
音源判定部１２ａ（１２ｂ）は、再生対象とされる音源（再生音源）がメモリ部１１に記憶されている音源情報と一致しているか否かを判定する。判定方法の一例について説明する。一般的に、再生音源は、オペレーティングシステム上で動作するアプリケーションによって再生されるため、再生音源からは、どのアプリケーションから再生されているかの情報を取得することができる。例えば、ワンセグ放送視聴用のアプリケーションから再生された音源であれば、ワンセグ放送視聴用アプリケーションのプロセス名を再生音源から取得することができる。
【００２４】
メモリ部１１は、音量を増大させたいアプリケーションのプロセス名を保持しておく。音源判定部１２ａ（１２ｂ）は、再生音源が再生されたプロセス名と保持されているプロセス名とを照合する。照合結果は、一致していれば真、不一致であれば偽となる。
【００２５】
なお、ここでは、音源判定部１２ａ（１２ｂ）は、実行されているアプリケーションのプロセス名で判定するとした。しかし、これに限定されることなく、アプリケーション実行ファイル名等、再生音源のアプリケーションが特定できる情報であれば、何でもよい。
【００２６】
また、メモリ部１１が保持する音源情報は、複数であっても構わない。複数の場合には、音源判定部１２ａ、１２ｂは、メモリ部１１に保持されている音源情報の数だけ照合し、再生音源が音量を増大したい音源であるか否かを判定する。
【００２７】
音量変更部１３ａ（１３ｂ）は、音源判定部１２ａ（１２ｂ）の真偽の結果に基づいて、ユーザの音量調整を適用する。例えば、音源Ａおよび音源Ｂの信号をそれぞれ、ｘ１（ｔ）、ｘ２（ｔ）とし、音量調整適用後の音源Ａおよび音源Ｂの信号をそれぞれ、ｙ１（ｔ）、ｙ２（ｔ）とし、ユーザの音量調整の範囲をＶｏｌ＝０．０〜１．０とすると、音量適用部１４ａ、１４ｂは、それぞれ下記の式（１）、（２）で表される音量の調整を実行して出力する。
音源判定部１２ａの出力が真のとき、ｙ１（ｔ）＝α×Ｖｏｌ×ｘ１（ｔ）      ・・・（１）
音源判定部１２ｂの出力が偽のとき、ｙ２（ｔ）＝Ｖｏｌ×ｘ２（ｔ）          ・・・（２）
ここで、αはあらかじめ定めておいた１以上の定数である。ｔは時間インデックスを表す。
【００２８】
なお、音量変更部１３ｂは、受けとったユーザの音量調整の情報を音量変更部１３ａに伝達するものとする。
【００２９】
混合部１５は、音量適用部１４ａ、１４ｂによって音量調整がなされた再生音源を混合し、出力する。すなわち、混合後の出力信号（出力音）をｙ（ｔ）とすると、以下の式（３）で表される。
ｙ（ｔ）＝ｙ１（ｔ）＋ｙ２（ｔ）          ・・・（３）
【００３０】
次に、音量調整装置１０の動作について説明する。図２は、音量調整装置１０の動作を表すフローチャートである。所望のアプリケーションが実行されて、音源Ａあるいは音源Ｂが出力される場合に動作がスタートする。
【００３１】
ステップＳ１１において、音源判定部１２ａ（１２ｂ）は、メモリ部１１に記憶されている音源情報を読み出す。
【００３２】
ステップＳ１２において、音源判定部１２ａ（１２ｂ）は、読み出した音源情報が音量の調整対象とされる音源に対応するか否かを判定し、対応しない場合、一連の処理を終了する。対応する場合、ステップＳ１３に進む。
【００３３】
ステップＳ１３において、音量変更部１３ａ（１３ｂ）は、音源判定部１２ａ（１２ｂ）での特定結果に基づいて適用する音量の変更量を算出する。
【００３４】
ステップＳ１４において、音量適用部１４ａ（１４ｂ）は、上記の式（１）、（２）で表されるように、音量変更部１３ａ（１３ｂ）での変更量に対応して音源の出力を変更して出力する。
【００３５】
ステップＳ１５において、混合部１５は、音量適用部１４ａ、１４ｂによって音量調整がなされた再生音源の信号を加算し、出力音として出力する。
【００３６】
デジタル放送、マルチメディア放送、ＤＶＤ等の音源は、ＣＤの音源と異なり、デジタル信号上のフルスケールで録音されていない。したがって、ユーザの音量調整が同じであっても聴取者の体感上の音量が異なってしまう。
【００３７】
しかしながら、本実施例の音量調整装置１０によれば、音源毎に定めた音量に調整（増大させるのが一般的）することができる。このため、音源間の音量差が小さくなり、ユーザが音源再生用のアプリケーションを変更するたびに音量を調整する必要がなくなる。したがって、ユーザの利便性が向上する。
【実施例２】
【００３８】
第２の実施例に係る音量調整装置は、図１と構成は同じである。しかしながら、メモリ部１１、音源判定部１２ａ、１２ｂ、及び、音量変更部１３ａ、１３ｂの動作が第１の実施例とは異なる。
【００３９】
メモリ部１１は、音源情報だけでなく、音量をどの程度増大させるかを表す音源音量情報αｉ（ｉは音源情報のインデックス）を音源情報毎に対応して保持する。
【００４０】
音源判定部１２ａ（１２ｂ）は、判定結果の真偽だけではなく、真の場合には、音源情報に付随している音源音量情報αｉも読み出して音量変更部１３ａ（１３ｂ）に出力する。
【００４１】
音量変更部１３ａ（１３ｂ）は、第１の実施例とは異なり、音源判定部１２ａ（１２ｂ）から出力された音源音量情報αｉを使用し、音源からの入力信号に音量調整を適用する。例えば、音源Ａが音量を増大させたい音源ｉであった場合、音量調整適用後の信号は、以下の式（４）のようになる。
ｙ１（ｔ）＝αｉ×Ｖｏｌ×ｘ１（ｔ）          ・・・（４）
【００４２】
本実施例の音量調整装置によれば、どの程度音量を増大さればよいかを、音源情報に基づいて決定するため、アプリケーションごとに再生される音源を適切な音量にすることができる。
【実施例３】
【００４３】
第３の実施例に係る音量調整装置は、図１と構成は同じであるが、音量適用部１４ａ（１４ｂ）の機能が第１の実施例とは異なる。音量を増大させる場合、時としてデジタルスケールの上限を超えてしまい、歪による異音が発生する場合がある。この異音を発生させないために、音量適用部１４ａ（１４ｂ）は、音源音量情報αを入力信号の大きさに応じて適応的に変更する。すなわち、入力信号が所定より大きな場合、一時的に音源音量情報αを小さな値にして、デジタルクリップを防止する。
【００４４】
本実施例の音量調整装置によれば、音源音量情報を入力信号に基づいて適応的に変えるため、音量調整後の信号がデジタルフルスケールを超えることがなく、高品位な出力音を生成することができる。
【実施例４】
【００４５】
図３は、本発明の第４の実施例に係る音量調整装置の構成を示すブロック図である。図３において、音量調整装置１０ａは、図１とメモリ部１１ａの構成が異なる以外は、第１の実施例と同じ構成である。
【００４６】
メモリ部１１ａは、音量を増大させたい音源情報を外部から随時更新できる仕組みを有する。メモリ部１１ａは、外部から音量を増大したい音源情報を入力し、保持する。なお、第２の実施例で説明したように、音源情報に含まれる音源の音量情報の値を更新可能とするようにメモリ部１１ａを構築してもよい。
【００４７】
以上のようにメモリ部１１ａを構成することで、あらかじめ定められた音源情報だけでなく、後からメモリ情報を更新することができる。したがって、本実施例の音量調整装置によれば、後にインストールしたアプリケーションにも対応可能であり、ユーザの利便性がより向上する。
【産業上の利用可能性】
【００４８】
本発明の音量調整装置は、複数のアプリケーションから音を再生できる装置及びシステム並びにスマートフォンやパーソナルコンピュータ等の電子機器に適用することが可能である。
【００４９】
なお、上記の実施形態の一部または全部は、以下の付記のようにも記載されうるが、以下に限定されるものではない。
【００５０】
（付記１）音量の調整対象とされる音源を特定する音源判定部と、
前記音源判定部での特定結果に基づいて適用する音量の変更量を算出する音量変更部と、
前記音量変更部での前記変更量に対応して前記特定された音源の音量を変更して出力する音量適用部と、
を備える音量調整装置。
【００５１】
（付記２）音量を変更したい音源の情報を予め保持しておくメモリ部を備え、
前記音源判定部は、前記メモリ部を参照して前記特定された音源が音量を変更したい音源であるか否かを判定し、
前記音量変更部は、前記変更したい音源である場合には、ユーザの音量調整を変更して前記変更量とする付記１に記載の音量調整装置。
【００５２】
（付記３）前記メモリ部は、音量を調整したい音源の特定情報と該音源に対する音量の調整量とを保持し、
前記音量変更部は、前記ユーザの音量調整を前記調整量によってさらに変更する付記２に記載の音量調整装置。
【００５３】
（付記４）前記音量適用部は、音源の出力が所定の値以上にならないように抑圧する機能を有する付記１に記載の音量調整装置。
【００５４】
（付記５）前記メモリ部は、前記保持する音源の情報を外部から書き換え可能に構成される付記２または３に記載の音量調整装置。
【００５５】
（付記６）付記１乃至５のいずれか一に記載の音量調整装置を備える電子機器。
【００５６】
（付記７）音量調整装置における方法であって、
音量の調整対象とされる音源を特定するステップと、
前記特定した音源に対応する音量の変更量を算出するステップと、
前記算出した変更量に対応して前記特定された音源の出力を変更して出力するステップと、
を含むことを特徴とする音量調整方法。
【００５７】
（付記８）音量調整装置を構成するコンピュータに、
音量の調整対象とされる音源を特定する処理と、
前記特定した音源に対応する音量の変更量を算出する処理と、
前記算出した変更量に対応して前記特定された音源の出力を変更して出力する処理と、
を実行させるプログラム。
【００５８】
（付記９）前記音源を特定する処理は、前記音源を再生するアプリケーションプログラムを実行することでなされる付記８に記載のプログラム。
【００５９】
（付記１０）前記音量の変更量を算出する処理は、前記音源を再生するアプリケーションプログラム毎に対応して前記変更量を算出する付記８に記載のプログラム。
【００６０】
なお、前述の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００６１】
１０、１０ａ  音量調整装置
１１、１１ａ  メモリ部
１２ａ、１２ｂ  音源判定部
１３ａ、１３ｂ  音量変更部
１４ａ、１４ｂ  音量適用部
１５  混合部
【図１】
2014220738.tif 000003
【図２】
2014220738.tif 000004
【図３】
2014220738.tif 000005